(57)【要約】【課題】保温過剰とならずに、肩冷えを防止できるようにする。【解決手段】シート２１と、シート２１を枕１に固定するための固定バンド２２〜２５と、シート２１の一面２１ａ側に人の首部が通過可能な間隔を開けて突設され、外側と内側との間の空気の流れを遮る一対の遮断体３０、３０とを備えている。このため、首の両側の寝具の隙間を遮断体３０、３０によって塞いで冷気の進入を阻止でき、他の部位を過剰に保温することなく、肩冷えを防止できる。また、この遮断体３０、３０は、シート２１に対して着脱自在に取り付けられていて、寝る人の体型等に応じて取り付け位置を調整できる。【選択図】        図１
2004321293.tif 000002
【特許請求の範囲】
【請求項１】
シートと、
前記シートを枕に固定するための固定手段と、
前記シートの一面側に人の首部が通過可能な間隔を開けて突設され、外側と内側との間の空気の流れを遮る一対の遮断体とを備えた肩冷え防止具。
【請求項２】
前記一対の遮断体は、互いに協同して係着・離反自在なシート状の係着体を介して前記シートに着脱自在に取り付けられていることを特徴とする請求項１記載の肩冷え防止具。
【発明の詳細な説明】
【０００１】
【発明の属する技術分野】
本発明は、寝ているときの肩冷えを防止するための技術に関する。
【０００２】
【従来の技術】
冬期では、寝ているときに首の両側の掛け布団と敷布団との間に生じた隙間に冷気が流れ込んで肩冷えを起こすことが多い。
【０００３】
この肩冷えを防止するために、従来では保温用のベストを着用する方法があった。
【０００４】
【発明が解決しようとする課題】
しかしながら、上記した従来の保温用のベストは、構造的に肩部以外に、背部、脇部および胸部も覆ってしまうため、肩の冷えは防止できるが、掛け布団と敷布団で挟まれた背部、脇部および胸部が保温過剰となり、却って寝苦しくなるという問題があった。
【０００５】
本発明は、この問題を解決し、保温過剰とならずに、肩冷えを防止できる肩冷え防止具を提供することを目的としている。
【０００６】
【課題を解決するための手段】
前記目的を達成するために、本発明の請求項１の肩冷え防止具は、
シートと、
前記シートを枕に固定するための固定手段と、
前記シートの一面側に人の首部が通過可能な間隔を開けて突設され、外側と内側との間の空気の流れを遮る一対の遮断体とを備えている。
【０００７】
また、本発明の請求項２の肩冷え防止具は、請求項１の肩冷え防止具において、
前記一対の遮断体は、互いに協同して係着・離反自在なシート状の係着体を介して前記シートに着脱自在に取り付けられていることを特徴としている。
【０００８】
【発明の実施の形態】
以下、図面に基づいて本発明の実施の形態を説明する。
図１、図２は、本発明を適用した肩冷え防止具２０の構造を示している。
【０００９】
これらの図に示しているように、この肩冷え防止具２０は、シート２１、固定バンド２２〜２５および一対の遮断体３０、３０とによって構成されている。
【００１０】
シート２１は布製で、縦横の長さが一人用の枕１の縦横の長さとほぼ等しい横長の長方形状に形成されている。
【００１１】
シート２１の上辺縁の両側には、シート２１と同質の布製の固定バンド２２、２３の一端側がそれぞれ縫い付けられ、シート２１の下面２１ｂ側の中間部の両側にも、シート２１と同質の布製の固定バンド２４、２５の一端側がそれぞれ縫い付けられている。
【００１２】
これらの固定バンド２２〜２５は、シート２１を枕１に固定するための固定手段を形成するものであり、固定バンド２２、２４と固定バンド２４、２５の間に枕１を挟んで、固定バンド２２、２４の自由端同士および固定バンド２３、２５の自由端同士を結び付けることで、シート２１を、その上半部が枕１の上面側に重なり合う状態で枕１に固定させる。なお、固定バンドの自由端同士を、後述するマジックテープ（登録商標）のような係着体によって接続してもよい。
【００１３】
一対の遮断体３０、３０は、シート２１の一面２１ａ側に人の首部が通過可能な間隔を開けた状態で上方に突出して、その外側と内側との間の空気の流れを遮るように形成されている。
【００１４】
一対の遮断体３０、３０は、厚さがほぼ一定の矩形の基部３０ａと、基部３０ａの上隅から前方に突出する突出部３０ｂとを有する半凸状に形成されており、スポンジ、綿あるいは羽毛等からなる内容物を布製のカバーで覆った構造を有している。
【００１５】
一対の遮断体３０、３０は、シート２１に一体的に固定されていてもよいが、ここではマジックテープ（登録商標）のように、互いに協同して係着・離反自在なシート状の係着体４１〜４４を介してシート２１に着脱自在に取り付けられている。
【００１６】
即ち、図２に示しているように、各遮断体３０の基部３０ａおよび突出部３０ｂの底面には、係着体４１、４２がそれぞれ取り付けられている。
【００１７】
一方、シート２１の上面２１ａの下辺縁寄りの両側には、遮断体３０の基部３０ａの係着体４１に対して着脱自在な係着体４３、４３が、人の首部が通過できる間隔をもって上方からみてハの字をなすようして取り付けられ、上辺縁寄りの両側には、遮断体３０の突出部３０ｂの係着体４２に対して着脱自在な係着体４４、４４が、人の首部が通過できる間隔をもって上方からみてハの字をなすようして取り付けられている。
【００１８】
なお、各係着体４１〜４４は、シート２１および遮断体３０に対して縫い付け、あるいは接着によって取り付けられている。
【００１９】
一対の遮断体３０は、図２に示しているように固定バンド２２〜２５によってシート２１が枕１に固定されている状態で、基部３０ａの係着体４１とシート２１の係着体４３が接合し、突出部３０ｂの係着体４２とシート２１の係着体４４が接合して、突出部３０ａの先端を枕１の上部にオーバーラップさせた状態で、人の首部が通過できる間隔をもって上方からみてハの字をなすようにしてシート２１に固定される。
【００２０】
このように構成された肩冷え防止具２０は、図１に示したように枕１に固定した状態で、図３、図４のように、敷布団２の上に配置して、人４がその敷布団２の上に寝て頭を枕１の上に載せ、掛け布団（毛布も含む）３を胸の位置まで掛けたとき、首４ａの両側の敷布団２と掛け布団３の隙間が、遮断体３０によって塞がれた状態となる。
【００２１】
このため、首４ａの両側の敷布団２と掛け布団３の隙間に対する冷気Ｃの進入が規制され、肩冷えを防ぐことができる。
【００２２】
また、保温用のベストのように背部、脇部、胸部等を過剰に覆うことがなく、保温過剰とならずに済み、安眠できる。
【００２３】
また、上記のように、遮断体３０を前記したような係着体４１〜４４を介してシート２１に取り付けているので、個人毎の体型に合わせてその取り付け位置を調整することができ、材質や大きさが異なる遮断体３０に変更することができる。
【００２４】
なお、上記した肩冷え防止具２０では、枕１にシート２１を固定するための固定手段として固定バンド２２〜２５を用いていたが、枕１に対するシートの固定方法は任意であり、例えば、固定バンド２２〜２５の代わりに、図５の肩冷え防止具２０′のように、シート２１と連続して、枕１全体をくるむように筒状に形成された枕カバー２２′を固定手段としてもよい。
【００２５】
また、遮断体の形状も前記実施形態に限定されるものではなく、任意の形状にすることができる。例えば、前記実施形態の遮断体３０は突出部３０ｂを有し、これを枕１の上部側でシート２１に固定して、枕１と寝具の隙間を塞ぐとともに遮断体３０の倒れを防いでいるが、基部３０ａの厚さを増すことで遮断体３０の倒れを防ぐようにしてもよく、その場合には突出部３０ｂを省略でき、さらに、シート２１を枕１に重ね合わせる必要がなくなるので、その面積を小さくすることができる。
【００２６】
【発明の効果】
以上説明したように、本発明の肩冷え防止具は、シートと、シートを枕に固定するための固定手段と、シートの一面側に人の首部が通過可能な間隔を開けて突設され、外側と内側との間の空気の流れを遮る一対の遮断体とを備えている。
【００２７】
このため、首の両側の寝具の隙間を遮断体によって塞いで冷気の進入を阻止でき、他の部位を過剰に保温することなく、肩冷えを防止できる。
【００２８】
また、一対の遮断体を、互いに協同して係着・離反自在なシート状の係着体を介してシートに着脱自在に取り付けるようにしたものでは、遮断体の交換が容易に行なえ、また体型等に合わせて取り付け位置を調整することができる。
【図面の簡単な説明】
【図１】本発明の実施形態を枕に固定した状態を示す図
【図２】本発明の実施形態の分解図
【図３】使用状態を示す平面図
【図４】使用状態を示す側面図
【図５】要部を変形した構成例を示す図
【符号の説明】
１……枕、２……敷布団、３……掛け布団、２０、２０′……肩冷え防止具、２１……シート、２２〜２５……固定バンド、３０……遮断体、４１〜４４……係着体、２２′……枕カバー
【図１】
2004321293.tif 000003
【図２】
2004321293.tif 000004
【図３】
2004321293.tif 000005
【図４】
2004321293.tif 000006
【図５】
2004321293.tif 000007